(57)【要約】【課題】  通信端末内の回路から発生する高周波による通信への影響を低減することのできる通信端末及び通信方法を提供すること。【解決手段】  実施形態によれば、通信端末は、アンテナと、無線制御手段と、記憶手段とを備える。無線制御手段は、無線基地局とのアンテナを介した無線通信を制御する。記憶手段は、自端末内の制御回路およびコネクタから発生するノイズの周波数帯域に関する周波数情報を格納する。そして無線制御手段は、格納された周波数情報を無線基地局に送信する。【選択図】図５
2014127978.tif 000002
【特許請求の範囲】
【請求項１】
アンテナと、
無線基地局との前記アンテナを介した無線通信を制御する無線制御手段と、
前記自端末内の制御回路およびコネクタから発生するノイズの周波数帯域に関する周波
数情報を格納する記憶手段と、
を備え、
前記無線制御手段は、格納された前記周波数情報を前記無線基地局に送信する、通信端
末。
【請求項２】
前記無線制御手段は、前記アンテナを介して入力される前記ノイズを検出し、
前記記憶手段は、前記無線制御手段により検出されたノイズに基づいた前記周波数情報
を格納する、請求項１記載の通信端末。
【請求項３】
前記無線制御手段は、新たな無線基地局の無線通信エリア内であることを検出した場合
に、前記周波数情報を送信する、請求項１記載の通信端末。
【請求項４】
前記無線制御手段は、前記周波数情報を送信した後、前記周波数情報に応じた周波数帯
域を利用して前記基地局と無線通信を実行する、請求項１記載の通信端末。
【請求項５】
アンテナと、無線基地局との前記アンテナを介した無線通信を制御する無線制御手段と
、前記無線制御手段とは異なる、ノイズを発生する制御回路及びコネクタとを備える通信
端末における通信方法であって、
前記ノイズの周波数帯域に関する周波数情報を記憶することと、
記憶された前記周波数情報を前記無線基地局に送信することと、
を備える通信方法。
【請求項６】
アンテナと、無線端末との前記アンテナを介した無線通信を制御する無線制御手段とを
備える無線基地局における通信方法であって、
前記無線端末から送信される、前記無線端末のノイズ周波数に関する情報を受信するこ
とと、
前記ノイズ周波数とは異なる周波数帯域を用いて前記無線端末との無線通信を実行する
ことと、
を備える通信方法。
【発明の詳細な説明】
【技術分野】
【０００１】
本発明の実施形態は通信端末及び通信方法に関する。
【背景技術】
【０００２】
移動体通信等のWWAN（Wireless Wide Area Network）通信においては、その通信方式及
び通信事業者に応じた所定の周波数帯域の中から基地局と通信端末とのネゴシエーション
により決定された通信チャンネルを利用して通信が実行される。また、WLAN（Wireless L
ocal Area Network）通信においては、通信方式に応じた所定周波数帯域の中から基地局
（アクセスポイント）が決定した通信チャンネルを利用して通信が実行される。
【先行技術文献】
【特許文献】
【０００３】
【特許文献１】特開２００７−２８２１８０号公報
【発明の概要】
【発明が解決しようとする課題】
【０００４】
通信端末においては端末内の電子回路から発生する高周波ノイズが、通信で利用する周
波数帯域と重なり、通信品質が低下する場合がある。
【０００５】
そこで本発明は、通信端末内の回路から発生する高周波ノイズによる通信への影響を低
減することのできる通信端末及び通信方法を提供することを目的とする。
【課題を解決するための手段】
【０００６】
実施形態によれば、通信端末は、アンテナと、無線制御手段と、記憶手段を備える。無
線制御手段は、無線基地局とのアンテナを介した無線通信を制御する。記憶手段は、通信
端末内の制御回路およびコネクタから発生するノイズの周波数帯域に関する周波数情報を
格納する。そして無線制御手段は、格納された周波数情報を無線基地局に送信する。
【図面の簡単な説明】
【０００７】
【図１】実施形態の通信装置の利用形態例を示す図。
【図２】実施形態の基地局のシステム構成例を示すブロック図。
【図３】実施形態の通信装置のシステム構成例を示すブロック図。
【図４】実施形態の基地局によるチャンネル選択処理例を示す図。
【図５】実施形態の通信装置及び基地局による通信処理シーケンス例を示す図。
【発明を実施するための形態】
【０００８】
以下、図面を参照して実施形態を説明する。  
図１は、本実施形態に係る情報処理装置の例を示す斜視図である。情報処理装置は、例
えばスレートタイプのタブレット２００やノートブックタイプのＰＣ３００等として実現
される。
【０００９】
図２は基地局１００のシステム構成例を示す。基地局１００は、コントローラ１０１及
びアンテナ１０２等を備える。コントローラ１０１はＷＷＡＮ通信を制御する機能を有す
る。コントローラ１０１は、無線通信端末として動作する情報処理装置とアンテナ１０２
を介してＷＷＡＮ通信を実行する。
【００１０】
図３は、タブレット２００のシステム構成例を示す。なおＰＣ３００のシステム構成は
タブレット２００とほぼ同様であり、ここではタブレット２００の構成を中心に説明する
。
【００１１】
タブレット２００は、ＣＰＵ２０１、システムコントローラ２０２、主メモリ２０３、
グラフィクスコントローラ（ＧＰＵ）２０４、ディスプレイ２０５、ソリッドステートド
ライブ（ＳＳＤ）２０６、ＢＩＯＳ−ＲＯＭ２０７、エンベデッドコントローラ／キーボ
ードコントローラ（ＥＣ／ＫＢＣ）２０８、タッチセンサ２０９、キーボード２１０、Ｗ
ＷＡＮ（Wireless Wide Area Network）コントローラ２１１、アンテナ２１２、ＷＬＡＮ
（Wireless Local Area Network）コントローラ２１３、アンテナ２１４等を備えている
。
【００１２】
ＣＰＵ２０１は、タブレット２００の各コンポーネントの動作を制御するプロセッサで
ある。このＣＰＵ２０１は、ＳＳＤ２０６から主メモリ２０３にロードされるプログラム
、例えば、オペレーティングシステム（ＯＳ）、及びＷＷＡＮ通信ドライバ２５０等を実
行する。  また、ＣＰＵ２０１は、不揮発性メモリであるＢＩＯＳ−ＲＯＭ２０７に格納
されたＢＩＯＳ（基本入出力システム：Basic Input Output System）も実行する。ＢＩ
ＯＳはハードウェア制御のためのシステムプログラムである。
【００１３】
システムコントローラ２０２は、ＣＰＵ２０１と各コンポーネントとの間を接続するブ
リッジデバイスである。システムコントローラ２０２は、ＳＳＤ２０６を制御するための
シリアルＡＴＡコントローラを内蔵している。さらに、システムコントローラ２０２は、
ＰＣＩ ＥＸＰＲＥＳＳ規格のシリアルバスなどを介してＧＰＵ２０４との通信を実行す
る機能も有している。
【００１４】
ＧＰＵ２０４は、タブレット２００のディスプレイモニタとして使用されるディスプレ
イ２０５を制御する表示コントローラである。ＧＰＵ２０４は、不図示のビデオメモリに
格納された表示データからディスプレイ２０５に供給すべき表示信号を生成する。主メモ
リ２０３の一部を上述のビデオメモリとして使用しても良い。
【００１５】
ＥＣ／ＫＢＣ２０８は、タブレット２００の電力管理を行うためのエンベデッドコント
ローラ（電力管理コントローラ）と、タッチセンサ２０９を制御するためのタッチセンサ
コントローラと、キーボード１２０を制御するためのキーボードコントローラとが集積さ
れた１チップマイクロコンピュータである。
【００１６】
タッチセンサ２０９は、例えばディスプレイ２０５に設けられるタッチパネルや、ＰＣ
３００のパームレストに設けられるタッチパッド等であり、ユーザによるタッチパネル／
タッチパッドへのタッチ操作を検出する。なお本実施形態においてはタッチセンサによる
操作検出を中心に説明するが、入力デバイスとしてはマウス等が用いられても良い。
【００１７】
ＷＷＡＮコントローラ２１１は、例えば移動体通信の通信を制御する通信部であり、ア
ンテナ２１２を介して移動体通信の基地局１００と通信する。ＷＬＡＮコントローラ２１
３は、アンテナ２１４を介してＷＬＡＮ基地局と通信する。
【００１８】
そしてＰＣ１００は、ＷＷＡＮ通信を実行する場合に、ＷＷＡＮ通信ドライバ２５０及
びＷＷＡＮコントローラ２１１による制御のもと、ＷＷＡＮ通信の各種動作を実行する。
本実施形態において、ＷＷＡＮ通信ドライバ２５０及びＷＷＡＮコントローラ２１１は、
ＰＣ１００におけるノイズ情報を収集する。なおノイズ情報とは、ＰＣ１００の電子回路
が発生する高周波ノイズに関する情報であり、周波数毎のノイズ強度の情報等を含んでい
る。そして高周波ノイズとは、例えばＵＳＢコントローラ（不図示）、ＣＰＵ２０１及び
ＧＰＵ２０４等の制御回路とこれら制御回路のコネクタ部分とから発生する高周波クロッ
クや、これらクロックの高調波である。例えばＵＳＢコントローラのクロックは４８０Ｍ
Ｈｚであるが、このクロックの高調波の９６０ＭＨｚは３Ｇ通信で用いられる帯域と重複
する場合があり、重複すると３Ｇ通信の品質が悪化する恐れがある。
【００１９】
ノイズ情報の収集においてＰＣ１００は、自装置を稼動させた状態でＷＷＡＮ通信での
送信を停止しつつ受信を維持し、ＷＷＡＮコントローラ２１１は、アンテナ２１２から当
該WWANコントローラに入力される信号の各周波数での強度を検出する。そしてＷＷＡＮコ
ントローラ２１１は、信号強度が閾値以上の周波数帯域をノイズ帯域としてノイズ情報を
記憶する。なおノイズ情報は、ＷＷＡＮコントローラ２１１内のメモリに格納されても良
いし、ＳＳＤ２０６に格納されても良い。
【００２０】
そしてＰＣ１００は、基地局１００への位置登録の際に、当該ノイズ情報を基地局１０
０に送信する。そして基地局１００は、受信したノイズ情報に基づいて、ＰＣ１００との
通信に用いる周波数帯域を決定する。
【００２１】
図４はタブレット２００、ＰＣ３００及び基地局１００による通信チャンネルの決定処
理の例を示す。図４（Ａ）は、タブレット２００が対応する通信帯域とノイズ帯域とを示
す。タブレット２００は、ＷＷＡＮコントローラ２１１とアンテナ２１２とを用いてＷＷ
ＡＮ通信を実行する場合、例えば、帯域ｆｃ内の任意の通信チャンネルを用いることが可
能である。なお帯域ｆｃは、通信方式、国、通信事業者により異なるが、例えば８３０〜
８４５ＭＨｚにおいて連続する周波数帯域である。
【００２２】
しかしながら、帯域ｆｃの一部である帯域ｆ１においては、タブレット２００内の電子
回路から発生する高周波ノイズの信号強度が所定値以上であり、この帯域ｆ１と重複する
チャンネルを用いて通信を実行すると、通信品質が悪化する恐れがある。このためタブレ
ット２００及び基地局１００は、当該ｆ１とは異なる帯域を用いて通信すべく、通信チャ
ンネルを決定する。
【００２３】
ここでタブレット２００は、基地局１００への位置登録の際に、自己のノイズ情報（ノ
イズプロファイル）を基地局に送信する。なおノイズ情報の形式としては、ノイズの影響
が閾値以上となる帯域である帯域ｆ１を示す形式、あるいはノイズの影響が閾値以下とな
る帯域である帯域ｆ２及びｆ３を示す形式等が考えられる。そして、基地局１００は、受
信したノイズ情報に基づき、図４（Ｂ）に示すように、タブレット２００のノイズ帯域で
ある帯域ｆ１とは異なる帯域ｆ２及びｆ３の中から、タブレット２００との通信に用いる
通信チャンネルを決定する。
【００２４】
図４（Ｃ）は、ＰＣ３００が対応する通信帯域とノイズ帯域とを示す。ＰＣ３００は、
例えば、帯域ｆｃ内の任意の通信チャンネルを用いることが可能であるが、帯域ｆｃの一
部である帯域ｆ４においては、ＰＣ３００内の電子回路から発生する高周波ノイズの信号
強度が所定値以上である。このためＰＣ３００は、基地局１００への位置登録の際に、自
己のノイズ情報（ノイズプロファイル）を基地局に送信する。そして、基地局１００は、
受信したノイズ情報に基づき、図４（Ｄ）に示すように、ＰＣ３００のノイズ帯域である
帯域ｆ４とは異なる帯域ｆ５及びｆ６の中から、ＰＣ３００との通信に用いる通信チャン
ネルを決定する。
【００２５】
図５はタブレット２００と基地局１００によるＷＷＡＮ通信確立に係る処理フロー例を
示す。まず、ユーザがタブレット２００を保持したまま移動した場合や、ユーザがタブレ
ット２００のＷＷＡＮ通信機能をＯＮにした場合等において、タブレット２００が基地局
１００の通信エリアに入ると（Ｓ４０１のＹｅｓ）、タブレット２００は、タブレット２
００の装置識別子とノイズ情報とを基地局１００に送信する（Ｓ４０２）。なおタブレッ
ト２００は、基地局１００から当該基地局１００の識別子を受信することにより、新たな
基地局のエリアに入ったか否かを判別する。
【００２６】
基地局１００は、装置識別子及びノイズ情報を受信すると、当該装置識別子に対応する
装置が自基地局のエリア内に存在することを通信事業者のサーバに通知し、当該サーバに
タブレット２００の位置を登録させる。また基地局１００は、受信したノイズ情報に基づ
いて、タブレット２００との通信に用いる通信帯域を決定する（Ｓ４０３）。即ち、図４
にて説明したように、所定の通信方式において通信事業者が利用する帯域ｆｃのうち、ノ
イズ情報により利用不可能と示される帯域ｆ１を除いた帯域ｆ２及びｆ３の中から、タブ
レット２００との通信に用いる通信チャンネルを決定する。
【００２７】
そして基地局１００は、決定した通信チャンネルをタブレット２００に通知し（Ｓ４０
４）、基地局１００及びタブレット２００は、当該決定された通信チャンネルを用いてＷ
ＷＡＮ通信を実行し、音声や画像を伝送する（Ｓ４０５及びＳ４０６）。
【００２８】
本発明のいくつかの実施形態を説明したが、これらの実施形態は、例として提示したも
のであり、発明の範囲を限定することは意図していない。これら新規な実施形態は、その
他の様々な形態で実施されることが可能であり、発明の要旨を逸脱しない範囲で、種々の
省略、置き換え、変更を行うことができる。これら実施形態やその変形は、発明の範囲や
要旨に含まれるとともに、特許請求の範囲に記載された発明とその均等の範囲に含まれる
。
【符号の説明】
【００２９】
１００…基地局、１０１…コントローラ、１０２…アンテナ、２００…タブレット、２
０１…ＣＰＵ、２０２…システムコントローラ、２０３…メモリ、２０４…グラフィクス
コントローラ、２０５…ディスプレイ、２０６…ＳＳＤ、２０７…ＢＩＯＳ−ＲＯＭ、２
０８…ＥＣ／ＫＢＣ、２０９…タッチセンサ、２１０…キーボード、２１１…ＷＷＡＮコ
ントローラ、２１２…アンテナ、２１３…ＷＬＡＮコントローラ、２１４…アンテナ、２
５０…ＷＷＡＮ通信ドライバ、３００…ＰＣ
【図１】
2014127978.tif 000003
【図２】
2014127978.tif 000004
【図３】
2014127978.tif 000005
【図４】
2014127978.tif 000006
【図５】
2014127978.tif 000007